(57)【要約】【課題】  番組表を短時間で表示でき、また未受信の番組データが存在しても適切で便利な番組表を表示するテレビジョン放送の番組表表示装置を提供すること。【解決手段】  テレビジョン放送の番組データを受信する番組データ受信手段と、番組データ受信手段により受信した番組データに基づいて番組表を生成する番組表生成手段と、番組表生成手段で生成された番組表をディスプレイ１３に表示する表示駆動手段とを備えた番組表表示装置において、番組表生成手段に、番組データを受信していない未受信番組に該当する番組表の表示領域である未受信番組枠については、未受信枠画像を生成して番組表を形成する未受信枠画像生成手段を装備する。【選択図】  図１
2007124694.tif 000002
【特許請求の範囲】
【請求項１】
テレビジョン放送の番組データを受信する番組データ受信手段と、該番組データ受信手
段により受信した番組データに基づいて番組表を生成する番組表生成手段と、該番組表生
成手段で生成された番組表を表示手段に表示する表示駆動手段とを備えた番組表表示装置
において、
前記番組表生成手段が、番組データを受信していない未受信番組に該当する番組表の表
示領域である未受信番組枠については、未受信枠画像を生成して番組表を形成する未受信
枠画像生成手段を備えていることを特徴とする番組表表示装置。
【請求項２】
前記未受信枠画像が、単色の塗りつぶし画像であることを特徴とする請求項１記載の番
組表表示装置。
【請求項３】
前記未受信枠画像が、テレビジョン放送画像であることを特徴とする請求項１記載の番
組表表示装置。
【請求項４】
前記番組データ受信手段により受信した新たな番組データに基づいて、前記未受信番組
枠が番組データを受信した受信番組に該当する番組表の表示領域である既受信番組枠に変
更される場合には、該既受信番組枠に変更される番組枠の表示形態を、他の既受信番組枠
とは異なったものとする表示形態変更手段を備えていることを特徴とする請求項１〜３の
いずれかの項に記載の番組表表示装置。
【請求項５】
前記未受信枠画像が、同一のイベントを放送する既受信番組データに基づいて生成され
るものであることを特徴とする請求項１、２、又は４に記載の番組表表示装置。
【請求項６】
前記未受信枠画像が、イベントを時間的に分割放送する連続番組の場合に、該連続番組
における他の時間帯の番組データに基づいて生成されるものであることを特徴とする請求
項１、２、又は４に記載の番組表表示装置。
【請求項７】
前記未受信枠画像が、連続番組における他の時間帯の番組データに基づいて生成される
場合には、対応する番組枠の表示形態を他の番組枠とは異なったものとする連続番組表示
形態変更手段を備えていることを特徴とする請求項６記載の番組表表示装置。
【請求項８】
前記未受信枠の表示形態が、前記受信枠の表示形態とは異なった表示形態であることを
特徴とする請求項１〜７のいずれかの項に記載の番組表表示装置。
【請求項９】
前記未受信枠画像が、未受信番組であることを示すマークを含んでいることを特徴とす
る請求項１〜８のいずれかの項に記載の番組表表示装置。
【請求項１０】
テレビジョン放送の番組データを受信する番組データ受信手段と、該番組データ受信手
段により受信した番組データに基づいて番組表を生成する番組表生成手段と、該番組表生
成手段で生成された番組表を表示手段に表示する表示駆動手段とを備えた番組表表示装置
において、
前記番組表生成手段が、同一イベントを放送する番組が複数有る場合に、該複数の番組
に該当する番組表の表示領域である番組枠を、同一イベントを放送することを表す表示形
態とする同一イベント表示手段を備えていることを特徴とする番組表表示装置。
【請求項１１】
前記同一イベント表示手段が、同一イベントを放送する前記複数の番組における時間的
連続関係を表す表示を行うものであることを特徴とする請求項１０記載の番組表表示装置
。
【請求項１２】
テレビジョン放送の番組データを受信する番組データ受信手段と、該番組データ受信手
段により受信した番組データに基づいて番組表を生成する番組表生成手段と、該番組表生
成手段で生成された番組表を表示手段に表示する表示駆動手段とを備えた番組表表示装置
において、
前記番組表生成手段が、番組放送時間が変更された場合に、放送時間変更前後における
該番組に該当する番組表の表示領域である番組枠を、放送時間変更があった同一番組であ
ることを表す表示形態とする時間変更表示手段を備えていることを特徴とする番組表表示
装置。
【請求項１３】
前記時間変更表示手段が、番組時間の時間的変更方向を示す表示を行うものであること
を特徴とする請求項１２記載の番組表表示装置。
【請求項１４】
前記時間変更表示手段が、変更元の番組枠の表示を目立たなくする表示とするものであ
ることを特徴とする請求項１２又は請求項１３に記載の番組表表示装置。
【請求項１５】
テレビジョン放送の番組データを受信する番組データ受信手段と、該番組データ受信手
段により受信した番組データに基づいて番組表を生成する番組表生成手段と、該番組表生
成手段で生成された番組表を表示手段に表示する表示駆動手段とを備えた番組表表示装置
において、
前記番組表生成手段が、イベントを時間的に分割放送する連続番組の場合に、該連続番
組に該当する番組表の表示領域である番組枠を連続番組であることを表す表示形態とする
連続番組表示手段を備えていることを特徴とする番組表表示装置。
【発明の詳細な説明】
【技術分野】
【０００１】
本発明は、テレビジョン放送の番組データを受信して番組表を表示する番組表表示装置
に関し、特に番組データを受信していない時間帯（番組枠）の表示処理を行う技術を備え
た番組表表示装置に関する。
【背景技術】
【０００２】
通常、視聴するテレビジョン放送の番組を選択する場合、新聞やテレビ番組雑誌の番組
表から番組内容（番組名、概要や出演者）を見て選択する。しかし、最近では、ディジタ
ル放送等のデータ放送やインターネット等の普及により番組データが提供されるようにな
り、テレビジョン画面等の表示手段にＥＰＧ（Electric  Program Guide ）と言われる電
子番組表を表示する番組表表示装置も実現され、例えばテレビジョン装置に内蔵されるよ
うになってきている。
【０００３】
しかし、従来のＥＰＧは、所定期間の番組データを受信して番組表画面を形成して表示
するため、表示するのに時間がかかりテレビジョン装置の利用者が不満を感じるといった
課題があった。
【発明の開示】
【課題を解決するための手段及びその効果】
【０００４】
本発明は上記課題に鑑みなされたものであって、番組表を短時間で表示することができ
、また未受信の番組データが存在しても適切で便利な番組表を表示できる番組表表示装置
を提供することを目的としている。
【０００５】
上記課題を解決するため、本発明に係る番組表表示装置（１）は、テレビジョン放送の
番組データを受信する番組データ受信手段と、該番組データ受信手段により受信した番組
データに基づいて番組表を生成する番組表生成手段と、該番組表生成手段で生成された番
組表を表示手段に表示する表示駆動手段とを備えた番組表表示装置において、前記番組表
生成手段が、番組データを受信していない未受信番組に該当する番組表の表示領域である
未受信番組枠については、未受信枠画像を生成して番組表を形成する未受信枠画像生成手
段を備えていることを特徴としている。  
上記番組表表示装置（１）によれば、番組データを受信していない未受信番組について
は未受信枠画像を生成して番組表を形成し、表示するので、完全な形ではないにしろ番組
表が素早く表示され、その後徐々に番組表が完全なものとなるため、利用者にとっては素
早く番組編成の概要を掴め、また全番組のデータが受信されるより早く（遅くても同時）
目的とする番組情報を得ることができるので、利用者にとって便利なものとなる。
【０００６】
また、本発明に係る番組表表示装置（２）は、上記番組表表示装置（１）において、前
記未受信枠画像が、単色の塗りつぶし画像であることを特徴としている。
上記番組表表示装置（２）によれば、番組データが未受信の番組が分かり易く、また素
早く各番組の時間的関係を把握できることとなる。
【０００７】
また、本発明に係る番組表表示装置（３）は、上記番組表表示装置（１）において、前
記未受信枠画像が、テレビジョン放送画像であることを特徴としている。
上記番組表表示装置（３）によれば、番組情報の無い番組枠を有効に利用してテレビ番
組を実際に表示することが可能となり、番組内容の確認等に便利となる。
【０００８】
また、本発明に係る番組表表示装置（４）は、上記番組表表示装置（１）〜（３）のい
ずれかにおいて、前記番組データ受信手段により受信した新たな番組データに基づいて、
前記未受信番組枠が番組データを受信した受信番組に該当する番組表の表示領域である既
受信番組枠に変更される場合には、該既受信番組枠に変更される番組枠の表示形態を、他
の既受信番組枠とは異なったものとする表示形態変更手段を備えていることを特徴として
いる。
上記番組表表示装置（４）によれば、表示内容が変更された番組枠部分が容易に把握で
きるので、番組情報の確認が容易となる。
【０００９】
また、本発明に係る番組表表示装置（５）は、上記番組表表示装置（１）、（２）、（
４）のいずれかにおいて、前記未受信枠画像が、同一のイベントを放送する既受信番組デ
ータに基づいて生成されるものであることを特徴としている。
上記番組表表示装置（５）によれば、番組データが未受信の番組についても、同一イベ
ント、例えばスポーツにおける同じ試合等、の放送を行っている他の番組等の番組データ
を用いてその番組の概要が表示されることとなり、より完全に近い番組表を迅速に表示す
ることが可能となる。
【００１０】
また、本発明に係る番組表表示装置（６）は、上記番組表表示装置（１）、（２）、（
４）のいずれかにおいて、前記未受信枠画像が、イベントを時間的に分割放送する連続番
組の場合に、該連続番組における他の時間帯の番組データに基づいて生成されるものであ
ることを特徴としている。
上記番組表表示装置（６）によれば、番組データが未受信の番組についても、同一イベ
ントを時間的に分割放送する連続番組、例えば連続ドラマにおける他の日時の番組（放送
）の番組データを用いてその番組の概要が表示されることとなり、より完全に近い番組表
を迅速に表示することが可能となる。
【００１１】
また、本発明に係る番組表表示装置（７）は、上記番組表表示装置（６）において、前
記未受信枠画像が、連続番組における他の時間帯の番組データに基づいて生成される場合
には、対応する番組枠の表示形態を他の番組枠とは異なったものとする連続番組表示形態
変更手段を備えていることを特徴としている。
上記番組表表示装置（７）によれば、表示される番組データの状況（信頼度等）が把握
できるので、利用者は必要に応じて適切な確認作業等を行うことができることとなる。
【００１２】
また、本発明に係る番組表表示装置（８）は、上記番組表表示装置（１）〜（７）のい
ずれかにおいて、前記未受信枠の表示形態が、前記受信枠の表示形態とは異なった表示形
態であることを特徴としている。
上記番組表表示装置（８）によれば、表示される番組データの状況（信頼度等）が把握
できるので、利用者は必要に応じて適切な確認作業等を行うことができる。
【００１３】
また、本発明に係る番組表表示装置（９）は、上記番組表表示装置（１）〜（８）のい
ずれかにおいて、前記未受信枠画像が、未受信番組であることを示すマークを含んでいる
ことを特徴としている。
上記番組表表示装置（９）によれば、表示される番組データの状況（信頼度等）がマー
クにより把握できるので、利用者は必要に応じて適切な確認作業等を行うことができるこ
ととなる。
【００１４】
また、本発明に係る番組表表示装置（１０）は、テレビジョン放送の番組データを受信
する番組データ受信手段と、該番組データ受信手段により受信した番組データに基づいて
番組表を生成する番組表生成手段と、該番組表生成手段で生成された番組表を表示手段に
表示する表示駆動手段とを備えた番組表表示装置において、前記番組表生成手段が、同一
イベントを放送する番組が複数有る場合に、該複数の番組に該当する番組表の表示領域で
ある番組枠を、同一イベントを放送することを表す表示形態とする同一イベント表示手段
を備えていることを特徴としている。
上記番組表表示装置（１０）によれば、同一イベント、例えばスポーツにおける同じ試
合等を放送する複数の番組を容易に把握できるので、番組選択を幅広く行うことが容易に
なる。
【００１５】
また、本発明に係る番組表表示装置（１１）は、上記番組表表示装置（１０）において
、前記同一イベント表示手段が、同一イベントを放送する前記複数の番組における時間的
連続関係を表す表示を行うものであることを特徴としている。
上記番組表表示装置（１１）によれば、同一イベント、例えばスポーツにおける同じ試
合等を放送する複数の番組の時間的関係、例えばスポーツの同じ試合が初めの２時間はＡ
番組で放送され、その後試合終了まではＢ番組で放送されるといったリレー中継放送等を
容易に把握できるので、番組選択を確実に行うことが容易になる。
【００１６】
また、本発明に係る番組表表示装置（１２）は、テレビジョン放送の番組データを受信
する番組データ受信手段と、該番組データ受信手段により受信した番組データに基づいて
番組表を生成する番組表生成手段と、該番組表生成手段で生成された番組表を表示手段に
表示する表示駆動手段とを備えた番組表表示装置において、前記番組表生成手段が、番組
放送時間が変更された場合に、放送時間変更前後における該番組に該当する番組表の表示
領域である番組枠を、放送時間変更があった同一番組であることを表す表示形態とする時
間変更表示手段を備えていることを特徴としている。
上記番組表表示装置（１２）によれば、放送時間の変更内容を容易かつ確実に把握でき
るので、番組選択を確実に行うことができることとなる。
【００１７】
また、本発明に係る番組表表示装置（１３）は、上記番組表表示装置（１２）において
、前記時間変更表示手段が、番組時間の時間的変更方向を示す表示を行うものであること
を特徴としている。
上記番組表表示装置（１３）によれば、放送時間がどのように変更されたかを直感的に
素早く把握でき、番組選択を素早く確実に行うことができることとなる。
【００１８】
また、本発明に係る番組表表示装置（１４）は、上記番組表表示装置（１２）又は（１
３）において、前記時間変更表示手段が、変更元の番組枠の表示を目立たなくする表示と
するものであることを特徴としている。
上記番組表表示装置（１４）によれば、放送時間の変更により放送されなくなった時間
帯には元の番組内容が目立たなく表示されるので、番組情報の誤認識が防げると共にその
番組に時間変更があったことを確実に把握できることとなる。
【００１９】
また、本発明に係る番組表表示装置（１５）は、テレビジョン放送の番組データを受信
する番組データ受信手段と、該番組データ受信手段により受信した番組データに基づいて
番組表を生成する番組表生成手段と、該番組表生成手段で生成された番組表を表示手段に
表示する表示駆動手段とを備えた番組表表示装置において、前記番組表生成手段が、イベ
ントを時間的に分割放送する連続番組の場合に、該連続番組に該当する番組表の表示領域
である番組枠を連続番組であることを表す表示形態とする連続番組表示手段を備えている
ことを特徴としている。
上記番組表表示装置（１５）によれば、連続番組、例えば毎日あるいは毎週放送される
連続ドラマを確実に把握でき、番組選択、例えば受信予約や録画予約等を素早く、確実に
行うことができることとなる。
【発明を実施するための最良の形態】
【００２０】
以下、本発明の実施の形態について説明する。図１は本発明の実施の形態に係る番組表
装置を内蔵したディジタルテレビ放送受信装置の構成を示す構成図である。
チューナ１はアンテナで受信した受信電波からユーザの希望する放送波を選択受信して
増幅するもので、高周波増幅回路、同調回路等を含んで構成されている。復調部２は、チ
ューナ１により選択受信された受信波を復調してディジタル信号を出力するもので、ディ
ジタルテレビ放送ではＯＦＤＭ変調された放送波をＯＦＤＭ復調するＯＦＤＭ復調回路等
を含んで構成されている。
【００２１】
デコード部３はＯＦＤＭ復調されたディジタル信号をデコード（解読）するもので、つ
まり放送局での変調前に伝送エラー防止処理、圧縮処理、結合処理等が施されたディジタ
ル信号を元のディジタル信号に戻すもので、論理回路、ディジタルシグナルプロセッサ等
により構成されている。そして、デコード部３によりデコードされたディジタル信号は、
音声データ、映像データ、各種処理・制御データとして各々音声デコード部４、映像デコ
ード部５、マイクロコンピュータ（データ伝送用のバスライン）に出力される。尚、放送
信号に含まれるＥＰＧデータ（番組データ）は、データ伝送用のバスラインに出力される
。
【００２２】
音声デコード部４はデコード部３からの音声データのデコードを行うもの、つまり音声
データに施された伝送エラー防止処理、圧縮処理等に対応したデータエラーの復元処理、
伸張処理等のディジタル演算処理を行い、本来の音声データに復元するもので、論理回路
、ディジタルシグナルプロセッサ等を含んで構成されている。音声デコード部４から出力
された音声信号は、ディジタル／アナログ変換、電力増幅が行われ、スピーカ１２から音
声として出力されるようになっている。
【００２３】
映像デコード部５はデコード部３からの映像データのデコードを行うもの、つまり映像
データに施された伝送エラー防止処理、圧縮処理等に対応したデータエラーの復元処理、
伸張処理等のディジタル演算処理を行い、本来の映像データに復元するもので、論理回路
、ディジタルシグナルプロセッサ等を含んで構成されている。映像デコード部５から出力
された映像信号は、映像処理部６で明るさ、コントラスト、色調等の画質処理、他の画像
（ＥＰＧ等）との合成・切換処理等の処理が施され、液晶表示装置等で構成されたディス
プレイ１３に表示されるようになっている。映像処理部６にはＶＲＡＭが内蔵されており
、このＶＲＡＭに書き込まれデータに基づいて映像信号がディスプレイ１３に出力される
こととなる。つまり、ＶＲＡＭに書き込むデータを所望のデータとすることにより、希望
する画像をディスプレイ１３に表示することが可能となっている。
【００２４】
ディジタルテレビ放送受信装置の全体の各種動作を制御するのがマイクロコンピュータ
で、マイクロコンピュータは演算処理を行う中央演算処理装置（ＣＰＵ）１０、プログラ
ム・各種データが記憶されたＲＯＭ９、各種データの一時記憶を行うＲＡＭ８等を含んで
構成されている。尚、ＲＡＭ８には電源スイッチＯＦＦ時もバックアップ電力が供給され
、データが保持されるようになっている。そして、ディジタルテレビ放送受信装置の各構
成部分はバスラインＢにより接続され、相互にデータ伝送が可能となっている。
【００２５】
バスラインにはモデム１１が接続され、ディジタルテレビ放送受信装置は外部との通信
、例えばディジタルテレビ放送局との通信や、インターネットの接続が可能となっており
、例えばテレビ放送局との通信により、あるいはインターネットのコンテンツから番組デ
ータを得ることもできるようになっている。さらに、バスラインＢには入出力インターフ
ェイス（Ｉ／Ｏ）７が接続され、外部機器との接続が可能となっている。例えば、赤外線
等を利用したリモコン１４のデータを取り込んで、そのデータに応じた動作を行うように
なっており、ユーザはリモコン１４を操作することによりディジタルテレビ放送受信装置
に所望の動作を行わせることが可能となっている。
【００２６】
次に、番組表の表示処理について説明する。先ず、ＥＰＧの表示処理の全体の概要を図
２に示したフローチャートに基づいて説明する。この番組表の表示処理は、番組データを
受信した時に行われるようになっている。
【００２７】
まず、ステップＳ１では、受信した番組データをＲＡＭ８に記憶し、その後ステップＳ
２に移る。ステップＳ１における、番組データのＲＡＭ８への記憶は、過去に記憶した番
組データと異なった部分だけを書き換える方式となっている。この方式の採用により、Ｒ
ＡＭ８に記憶された番組データは常に最新のものとなり、番組表生成時には最新のデータ
に基づいたものとなる。また、過去のデータはＲＡＭ８の割り当てられた番組データ記憶
用の領域がなくなるまで保持され、その後は古い番組データが消去されてゆき記憶領域が
確保される。番組データには、番組名、番組内容、ジャンル、放送時間等が含まれている
。
【００２８】
ステップＳ２では、表示するＥＰＧの日時に応じてＲＡＭ８より該当する日時の番組デ
ータを選択して読み出し、その後ステップＳ３に移る。ステップＳ３では、表示するＥＰ
Ｇの日時に応じて必要な日時の番組データの内、ＲＡＭ８に記憶されていないデータを、
つまり未受信の番組データを過去の番組データ等に基づいて推測生成し、ステップＳ４に
移る。尚、未受信の番組データの推測生成については、例をあげて後述する。
【００２９】
ステップＳ４では、選択した受信データおよび推測生成した番組データに基づいて番組
表を生成し、ＶＲＡＭに書き込み、その後処理を終える。生成されたこの番組表がディス
プレイ１３に表示されることとなる。番組表の表示例は後述するが、番組表の生成は、表
示する日時帯における各番組データの時間帯に応じた番組枠を生成し、その番組枠に対応
する番組の番組名、内容、マーク、背景画（背景色）を記入する処理、およびその処理後
に画像の所望部分に対して線や矢印等を書き込む処理等を含んで行われており、これら処
理はＶＲＡＭへ書き込むデータの処理により行われる。
【００３０】
次に、番組表の表示例を説明する。図３は、ディスプレイ１３に表示された番組表の表
示例を示す説明図である。番組表の上部には受信中のチャンネル番号および放送局名が表
示され、左側には放送時間帯が表示されている。ディジタルテレビ放送の場合、１チャン
ネルで複数の番組の放送が可能であるので、本例では３列（サービス１〜３）の番組列が
表示されている。そして、各サービスにおける各番組枠には、その番組枠に対応した番組
名が表示されている。
【００３１】
番組の詳細（出演者やジャンル）については、番組枠の面積の関係で見にくくなるので
、リモコン１４で番組枠を選択し、詳細表示操作を行った時点で番組表上に表示されるよ
うになっている。本例では、サービス２の８時の番組枠に対応する番組データは未受信で
あり、他の番組枠とは異なった表示となっている。その表示方法は、下記の(1)〜(3)の方法
であり、その番組枠の番組データが未受信であることがすぐに分かるようになっている。
尚、これらの方法を単独で用いる方法、組み合わせて用いる方法のいずれも可能となって
いる。
【００３２】
(1)未受信番組枠の番組名等の番組データは無表示で、既受信番組枠とは異なる背景色Ａ
で塗りつぶす。
(2)未受信番組枠に番組データ未受信であることを示すマークＢを表示する。
(3)未受信番組枠に受信表示中の番組の画像Ｃを表示する。この方法の場合、受信表示中
の番組の実画像による確認が可能となる。
【００３３】
また、新たな番組データにより未受信番組枠から既受信番組枠になったサービス３の１
０時の番組枠については、背景色の点滅表示（所定時間間隔で色が切り替わる）を行い、
番組データの受信を強調する構成となっている。また、別の実施の形態では、背景色の点
滅表示以外にも、背景色を変える、マークを表示する等の方法を採用してもよく、あるい
はこれらの方法を組み合わせて採用してもよく、いずれの方法においても番組データの受
信を強調できる効果を有している。
【００３４】
次に、番組表の別の表示例を説明する。図４は、ディスプレイ１３に表示された番組表
の表示例を示す説明図である。番組表の概要は図３に示した番組表と同様であるのでその
説明を省略する。本例では、同じイベントに対する異なった番組がある場合の表示形態に
特色があり、それら番組枠ＥＦの背景は他の番組枠とは異なった背景色Ａ（枠ＥＦは同じ
色）で塗りつぶされている。つまり、番組枠ＥＦは同じイベントの番組であることを示す
表示となっている。
【００３５】
また、別の実施の形態では、所定のマークを表示して番組枠ＥＦは同じイベントの番組
であることを示すようにしてもよく、あるいはこれらの方法を併用してもよい。また、サ
ービス３の８時放送の高校野球（同一イベント）が９時からサービス１で継続放送（所謂
リレー中継）されることを示す矢印Ｇが番組表に表示されている。つまり同一イベントを
放送する番組の時間的関係を示す表示が番組表に表示されている。また、サービス１の９
時からの番組枠Ｆについては番組データが完全には受信されていない状態のため、番組デ
ータを既に受信している番組枠Ｅの番組データに基づいて番組データ（番組名は番組表に
表示され、詳細情報は所定操作により表示される）が表示され、またその旨を示すマーク
が表示されている。
【００３６】
尚、同一イベントの判断は、番組データに含まれるイベント情報や番組名の同一性、あ
るいはリレー中継データ（リレー元あるいはリレー先データ）から判断されるが、全く番
組データを受信していない時点においてはこの判断はできないため、同一イベントのリレ
ー中継表示は、判断できる番組データ（一部）を受信した時点からの表示となる。
【００３７】
次に、番組表の更に別の表示例を説明する。図５は、ディスプレイ１３に表示された番
組表の表示例を示す説明図である。番組表の概要は図３に示した番組表と同様であるので
その説明を省略する。本例は、ある番組の放送時間が変更された場合の表示形態を示して
おり、サービス２の８時放送のサッカー番組Ｈが９時３０分まで延長され、その後の番組
、ニュース、連続ドラマが３０分ずれた場合を示している。変更前の番組枠Ｉは、サービ
ス２の表示欄の右端に小さく、背景色も他の番組枠とは異なった表示色とされ、目立ちに
くく、かつ変更前の番組であることが把握できるようになっている。また、文字等は半透
明化されており、変更前の番組であることがさらに区別しやすくなっている。また、変更
後の番組枠Ｊは、サービス２の表示欄の左側に比較的大きく、背景色は変更前の番組枠と
類似した（例えば同色で若干濃い色や、太い枠線とする等）表示色とされ、目立ち、かつ
変更後の番組であることが変更前の番組との関係で容易に把握できるようになっている。
さらに、番組の変更前後の関係を示す矢印Ｋ、つまりどの番組の放送時間がどの時間帯に
変わったかを示す矢印Ｋが表示され、番組の変更状況が分かりやすくなっている。
【００３８】
次に、番組表のさらに別の表示例を説明する。図６は、ディスプレイ１３に表示された
番組表の表示例を示す説明図である。番組表の概要は図３に示した番組表と同様であるの
でその説明を省略する。本例は、連続するイベントを時間的に分割して放送する連続番組
、例えば毎日あるいは月曜日〜金・土曜日の所定時間に放送する定時ニュースや連続ドラ
マ、また毎週所定の曜日の所定時間に放送される連続ドラマに対する表示形態を示してい
る。また、別の実施の形態では、この表示形態を、連続するイベントではないが関連が強
い定時番組（映画やバラエティ番組）等に適用することも可能である。
【００３９】
連続するイベント（同じドラマ等）の連続番組の場合、それら番組枠Ｌ１、Ｌ２あるい
はＭ１、Ｍ２の背景は他の番組枠とは異なった背景色Ａ（枠Ｌは同じ色）で塗りつぶされ
ている。つまり、番組枠Ｌ１、Ｌ２あるいはＭ１、Ｍ２は同じイベントの連続番組である
ことを示す表示となっている。また、別の実施の形態では、所定のマークを表示して番組
枠Ｌ１、Ｌ２あるいはＭ１、Ｍ２が同じイベントの連続番組であることを示すことも可能
である。また、番組枠Ｌ１、Ｌ２の連続性を示す矢印Ｎが番組表に表示されている。つま
り連続するイベントを放送する番組の時間的関係を示す表示が番組表に表示されている。
尚、サービス２の８時からの番組枠Ｌ２については番組データが完全には受信されていな
い状態のため、番組データを既に受信している番組枠Ｌ１の番組データに基づいて番組デ
ータ（番組名は番組表に表示され、詳細情報は所定操作により表示される）が表示され、
またその旨を示すマークが表示されている。
【００４０】
連続番組の判断は、番組データに含まれるイベント情報や番組名の同一性、あるいは連
続番組データ（連続周期データ・放送時刻データ）から判断されるが、全く番組データを
受信していない場合はこの判断はできないため、連続番組の表示は判断できる番組データ
（一部）を受信した時点からの表示となる。
【００４１】
次に、番組データが未受信の場合に、連続する番組や関連が強い定時番組（映画やバラ
エティ番組）における番組編成の特性から番組データを推測形成する方法について説明す
る。この推測形成された番組データにより番組表が形成されることとなる。
【００４２】
番組編成の特性として、平日（月〜金）の１８時までと２３時以降は、毎日同時刻（以
降Ａ時間帯と記す）に類似内容の同名の番組（以降同名番組と言う）が放送される傾向が
非常に強く、平日１９時〜２３時と土曜日、日曜日（終日）（以降Ｂ時間帯と言う）は、
毎週同じ曜日に同名番組が放送される傾向が非常に強い。このため本例では、番組データ
が未受信の番組について、Ａ時間帯の番組については他の日（例えば平日における前日）
における同時刻の番組データを用いて番組データを推測する。また、Ｂ時間帯の番組につ
いては同じ曜日の他の日（例えば１週間前）における同時刻の番組データを用いて番組デ
ータを推測する。
【００４３】
この推測のための番組データはＲＡＭ８に記憶されており、またＲＡＭ８に記憶された
番組データは常に最新の受信による番組データに書き換えられているので推測精度は高い
ものとなる。推測するための番組データは、推測対象の番組に時間的に最も近い（１日前
（１日後）１週間前（１週間前））日の番組データが好ましい。尚、Ａ・Ｂ時間帯につい
ては、ユーザがリモコン１４の操作等により設定できる方が番組編成の多様性に対応可能
で、その場合にはその設定データがＲＡＭ８に記憶されることとなる。
【００４４】
上記したように、本発明の実施の形態に係る番組表表示装置によれば、番組データ未受
信の場合でも、適切な推定処理により高精度で番組データが推測形成され、迅速に適切な
番組表を表示することができる。また、推測された番組情報、連続番組、放送時間変更の
あった番組、リレー番組等が容易に把握できる番組表が表示され、ユーザにとって有用な
番組表示となる。
【図面の簡単な説明】
【００４５】
【図１】本発明の実施の形態に係る番組表表示装置を内蔵したディジタルテレビ放送受信装置の概略構成を示すブロック図である。
【図２】実施の形態に係る番組表表示装置のマイコンが行う番組表の表示処理を示すフローチャートである。
【図３】ディスプレイに表示された番組表の表示例を示す説明図である。
【図４】ディスプレイに表示された番組表の表示例を示す説明図である。
【図５】ディスプレイに表示された番組表の表示例を示す説明図である。
【図６】ディスプレイに表示された番組表の表示例を示す説明図である。
【符号の説明】
【００４６】
１    チューナ
２    復調部
３    デコード部
４    音声デコード部
５    映像デコード部
６    映像処理部
８    ＲＡＭ
１０    ＣＰＵ
【図１】
2007124694.tif 000003
【図２】
2007124694.tif 000004
【図３】
2007124694.tif 000005
【図４】
2007124694.tif 000006
【図５】
2007124694.tif 000007
【図６】
2007124694.tif 000008
【手続補正書】
【提出日】平成19年3月15日(2007.3.15)
【手続補正１】
【補正対象書類名】特許請求の範囲
【補正対象項目名】全文
【補正方法】変更
【補正の内容】
【特許請求の範囲】
【請求項１】
テレビジョン放送の番組データを受信する番組データ受信手段と、該番組データ受信手
段により受信した番組データに基づいて番組表を生成する番組表生成手段と、該番組表生
成手段で生成された番組表を表示手段に表示する表示駆動手段とを備えた番組表表示装置
において、
前記番組表生成手段が、番組データを受信していない未受信番組に該当する番組表の表
示領域である未受信番組枠については、未受信枠画像を生成して番組表を形成する未受信
枠画像生成手段を備え、
該未受信枠画像生成手段が、前記未受信枠画像としてテレビジョン放送画像を生成する
機能を有しているものであることを特徴とする番組表表示装置。
【請求項２】
前記番組データ受信手段により受信した新たな番組データに基づいて、前記未受信番組
枠が番組データを受信した受信番組に該当する番組表の表示領域である既受信番組枠に変
更される場合には、該既受信番組枠に変更される番組枠の表示形態を、他の既受信番組枠
とは異なったものとする表示形態変更手段を備えていることを特徴とする請求項１記載の
番組表表示装置。
【請求項３】
前記未受信枠画像が、同一のイベントを放送する既受信番組データに基づいて生成され
るものであることを特徴とする請求項１又は請求項２記載の番組表表示装置。
【請求項４】
前記未受信枠画像が、イベントを時間的に分割放送する連続番組の場合に、該連続番組
における他の時間帯の番組データに基づいて生成されるものであることを特徴とする請求
項１又は請求項２記載の番組表表示装置。
【請求項５】
前記未受信枠画像が、連続番組における他の時間帯の番組データに基づいて生成される
場合には、対応する番組枠の表示形態を他の番組枠とは異なったものとする連続番組表示
形態変更手段を備えていることを特徴とする請求項４記載の番組表表示装置。
【請求項６】
前記未受信枠の表示形態が、前記受信枠の表示形態とは異なった表示形態であることを
特徴とする請求項１〜５のいずれかの項に記載の番組表表示装置。
【請求項７】
前記未受信枠画像が、未受信番組であることを示すマークを含んでいることを特徴とす
る請求項１〜６のいずれかの項に記載の番組表表示装置。
【手続補正２】
【補正対象書類名】明細書
【補正対象項目名】全文
【補正方法】変更
【補正の内容】
【発明の詳細な説明】
【技術分野】
【０００１】
本発明は、テレビジョン放送の番組データを受信して番組表を表示する番組表表示装置
に関し、特に番組データを受信していない時間帯（番組枠）の表示処理を行う技術を備え
た番組表表示装置に関する。
【背景技術】
【０００２】
通常、視聴するテレビジョン放送の番組を選択する場合、新聞やテレビ番組雑誌の番組
表から番組内容（番組名、概要や出演者）を見て選択する。しかし、最近では、ディジタ
ル放送等のデータ放送やインターネット等の普及により番組データが提供されるようにな
り、テレビジョン画面等の表示手段にＥＰＧ（Electric  Program Guide ）と言われる電
子番組表を表示する番組表表示装置も実現され、例えばテレビジョン装置に内蔵されるよ
うになってきている。
【０００３】
しかし、従来のＥＰＧは、所定期間の番組データを受信して番組表画面を形成して表示
するため、表示するのに時間がかかりテレビジョン装置の利用者が不満を感じるといった
課題があった。
【発明の開示】
【課題を解決するための手段及びその効果】
【０００４】
本発明は上記課題に鑑みなされたものであって、番組表を短時間で表示することができ
、また未受信の番組データが存在しても適切で便利な番組表を表示できる番組表表示装置
を提供することを目的としている。
【０００５】
上記課題を解決するため、本発明に係る番組表表示装置（１）は、テレビジョン放送の
番組データを受信する番組データ受信手段と、該番組データ受信手段により受信した番組
データに基づいて番組表を生成する番組表生成手段と、該番組表生成手段で生成された番
組表を表示手段に表示する表示駆動手段とを備えた番組表表示装置において、前記番組表
生成手段が、番組データを受信していない未受信番組に該当する番組表の表示領域である
未受信番組枠については、未受信枠画像を生成して番組表を形成する未受信枠画像生成手
段を備え、該未受信枠画像生成手段が、前記未受信枠画像としてテレビジョン放送画像を
生成する機能を有しているものであることを特徴としている。
上記番組表表示装置（１）によれば、番組データを受信していない未受信番組について
は未受信枠画像を生成して番組表を形成し、表示するので、完全な形ではないにしろ番組
表が素早く表示され、その後徐々に番組表が完全なものとなるため、利用者にとっては素
早く番組編成の概要を掴め、また全番組のデータが受信されるより早く（遅くても同時）
目的とする番組情報を得ることができるので、利用者にとって便利なものとなる。また、
番組情報の無い番組枠を有効に利用してテレビ番組を実際に表示することが可能となり、
番組内容の確認等に便利となる。
【０００６】
また、本発明に係る番組表表示装置（２）は、上記番組表表示装置（１）において、前
記番組データ受信手段により受信した新たな番組データに基づいて、前記未受信番組枠が
番組データを受信した受信番組に該当する番組表の表示領域である既受信番組枠に変更さ
れる場合には、該既受信番組枠に変更される番組枠の表示形態を、他の既受信番組枠とは
異なったものとする表示形態変更手段を備えていることを特徴としている。
上記番組表表示装置（２）によれば、表示内容が変更された番組枠部分が容易に把握で
きるので、番組情報の確認が容易となる。
【０００７】
また、本発明に係る番組表表示装置（３）は、上記番組表表示装置（１）又は（２）に
おいて、前記未受信枠画像が、同一のイベントを放送する既受信番組データに基づいて生
成されるものであることを特徴としている。
上記番組表表示装置（３）によれば、番組データが未受信の番組についても、同一イベ
ント、例えばスポーツにおける同じ試合等、の放送を行っている他の番組等の番組データ
を用いてその番組の概要が表示されることとなり、より完全に近い番組表を迅速に表示す
ることが可能となる。
【０００８】
また、本発明に係る番組表表示装置（４）は、上記番組表表示装置（１）又は（２）に
おいて、前記未受信枠画像が、イベントを時間的に分割放送する連続番組の場合に、該連
続番組における他の時間帯の番組データに基づいて生成されるものであることを特徴とし
ている。
上記番組表表示装置（４）によれば、番組データが未受信の番組についても、同一イベ
ントを時間的に分割放送する連続番組、例えば連続ドラマにおける他の日時の番組（放送
）の番組データを用いてその番組の概要が表示されることとなり、より完全に近い番組表
を迅速に表示することが可能となる。
【０００９】
また、本発明に係る番組表表示装置（５）は、上記番組表表示装置（４）において、前
記未受信枠画像が、連続番組における他の時間帯の番組データに基づいて生成される場合
には、対応する番組枠の表示形態を他の番組枠とは異なったものとする連続番組表示形態
変更手段を備えていることを特徴としている。
上記番組表表示装置（５）によれば、表示される番組データの状況（信頼度等）が把握
できるので、利用者は必要に応じて適切な確認作業等を行うことができることとなる。
【００１０】
また、本発明に係る番組表表示装置（６）は、上記番組表表示装置（１）〜（５）のい
ずれかにおいて、前記未受信枠の表示形態が、前記受信枠の表示形態とは異なった表示形
態であることを特徴としている。
上記番組表表示装置（６）によれば、表示される番組データの状況（信頼度等）が把握
できるので、利用者は必要に応じて適切な確認作業等を行うことができる。
【００１１】
また、本発明に係る番組表表示装置（７）は、上記番組表表示装置（１）〜（６）のい
ずれかにおいて、前記未受信枠画像が、未受信番組であることを示すマークを含んでいる
ことを特徴としている。
上記番組表表示装置（７）によれば、表示される番組データの状況（信頼度等）がマー
クにより把握できるので、利用者は必要に応じて適切な確認作業等を行うことができるこ
ととなる。
【００１２】
また、本発明に係る番組表表示装置（８）は、テレビジョン放送の番組データを受信す
る番組データ受信手段と、該番組データ受信手段により受信した番組データに基づいて番
組表を生成する番組表生成手段と、該番組表生成手段で生成された番組表を表示手段に表
示する表示駆動手段とを備えた番組表表示装置において、前記番組表生成手段が、同一イ
ベントを放送する番組が複数有る場合に、該複数の番組に該当する番組表の表示領域であ
る番組枠を、同一イベントを放送することを表す表示形態とする同一イベント表示手段を
備えていることを特徴としている。
上記番組表表示装置（８）によれば、同一イベント、例えばスポーツにおける同じ試合
等を放送する複数の番組を容易に把握できるので、番組選択を幅広く行うことが容易にな
る。
【００１３】
また、本発明に係る番組表表示装置（９）は、上記番組表表示装置（８）において、前
記同一イベント表示手段が、同一イベントを放送する前記複数の番組における時間的連続
関係を表す表示を行うものであることを特徴としている。
上記番組表表示装置（９）によれば、同一イベント、例えばスポーツにおける同じ試合
等を放送する複数の番組の時間的関係、例えばスポーツの同じ試合が初めの２時間はＡ番
組で放送され、その後試合終了まではＢ番組で放送されるといったリレー中継放送等を容
易に把握できるので、番組選択を確実に行うことが容易になる。
【００１４】
また、本発明に係る番組表表示装置（１０）は、テレビジョン放送の番組データを受信
する番組データ受信手段と、該番組データ受信手段により受信した番組データに基づいて
番組表を生成する番組表生成手段と、該番組表生成手段で生成された番組表を表示手段に
表示する表示駆動手段とを備えた番組表表示装置において、前記番組表生成手段が、番組
放送時間が変更された場合に、放送時間変更前後における該番組に該当する番組表の表示
領域である番組枠を、放送時間変更があった同一番組であることを表す表示形態とする時
間変更表示手段を備えていることを特徴としている。
上記番組表表示装置（１０）によれば、放送時間の変更内容を容易かつ確実に把握でき
るので、番組選択を確実に行うことができることとなる。
【００１５】
また、本発明に係る番組表表示装置（１１）は、上記番組表表示装置（１０）において
、前記時間変更表示手段が、番組時間の時間的変更方向を示す表示を行うものであること
を特徴としている。
上記番組表表示装置（１１）によれば、放送時間がどのように変更されたかを直感的に
素早く把握でき、番組選択を素早く確実に行うことができることとなる。
【００１６】
また、本発明に係る番組表表示装置（１２）は、上記番組表表示装置（１０）又は（１
１）において、前記時間変更表示手段が、変更元の番組枠の表示を目立たなくする表示と
するものであることを特徴としている。
上記番組表表示装置（１２）によれば、放送時間の変更により放送されなくなった時間
帯には元の番組内容が目立たなく表示されるので、番組情報の誤認識が防げると共にその
番組に時間変更があったことを確実に把握できることとなる。
【００１７】
また、本発明に係る番組表表示装置（１３）は、テレビジョン放送の番組データを受信
する番組データ受信手段と、該番組データ受信手段により受信した番組データに基づいて
番組表を生成する番組表生成手段と、該番組表生成手段で生成された番組表を表示手段に
表示する表示駆動手段とを備えた番組表表示装置において、前記番組表生成手段が、イベ
ントを時間的に分割放送する連続番組の場合に、該連続番組に該当する番組表の表示領域
である番組枠を連続番組であることを表す表示形態とする連続番組表示手段を備えている
ことを特徴としている。
上記番組表表示装置（１３）によれば、連続番組、例えば毎日あるいは毎週放送される
連続ドラマを確実に把握でき、番組選択、例えば受信予約や録画予約等を素早く、確実に
行うことができることとなる。
【発明を実施するための最良の形態】
【００１８】
以下、本発明の実施の形態について説明する。図１は本発明の実施の形態に係る番組表
装置を内蔵したディジタルテレビ放送受信装置の構成を示す構成図である。
チューナ１はアンテナで受信した受信電波からユーザの希望する放送波を選択受信して
増幅するもので、高周波増幅回路、同調回路等を含んで構成されている。復調部２は、チ
ューナ１により選択受信された受信波を復調してディジタル信号を出力するもので、ディ
ジタルテレビ放送ではＯＦＤＭ変調された放送波をＯＦＤＭ復調するＯＦＤＭ復調回路等
を含んで構成されている。
【００１９】
デコード部３はＯＦＤＭ復調されたディジタル信号をデコード（解読）するもので、つ
まり放送局での変調前に伝送エラー防止処理、圧縮処理、結合処理等が施されたディジタ
ル信号を元のディジタル信号に戻すもので、論理回路、ディジタルシグナルプロセッサ等
により構成されている。そして、デコード部３によりデコードされたディジタル信号は、
音声データ、映像データ、各種処理・制御データとして各々音声デコード部４、映像デコ
ード部５、マイクロコンピュータ（データ伝送用のバスライン）に出力される。尚、放送
信号に含まれるＥＰＧデータ（番組データ）は、データ伝送用のバスラインに出力される
。
【００２０】
音声デコード部４はデコード部３からの音声データのデコードを行うもの、つまり音声
データに施された伝送エラー防止処理、圧縮処理等に対応したデータエラーの復元処理、
伸張処理等のディジタル演算処理を行い、本来の音声データに復元するもので、論理回路
、ディジタルシグナルプロセッサ等を含んで構成されている。音声デコード部４から出力
された音声信号は、ディジタル／アナログ変換、電力増幅が行われ、スピーカ１２から音
声として出力されるようになっている。
【００２１】
映像デコード部５はデコード部３からの映像データのデコードを行うもの、つまり映像
データに施された伝送エラー防止処理、圧縮処理等に対応したデータエラーの復元処理、
伸張処理等のディジタル演算処理を行い、本来の映像データに復元するもので、論理回路
、ディジタルシグナルプロセッサ等を含んで構成されている。映像デコード部５から出力
された映像信号は、映像処理部６で明るさ、コントラスト、色調等の画質処理、他の画像
（ＥＰＧ等）との合成・切換処理等の処理が施され、液晶表示装置等で構成されたディス
プレイ１３に表示されるようになっている。映像処理部６にはＶＲＡＭが内蔵されており
、このＶＲＡＭに書き込まれデータに基づいて映像信号がディスプレイ１３に出力される
こととなる。つまり、ＶＲＡＭに書き込むデータを所望のデータとすることにより、希望
する画像をディスプレイ１３に表示することが可能となっている。
【００２２】
ディジタルテレビ放送受信装置の全体の各種動作を制御するのがマイクロコンピュータ
で、マイクロコンピュータは演算処理を行う中央演算処理装置（ＣＰＵ）１０、プログラ
ム・各種データが記憶されたＲＯＭ９、各種データの一時記憶を行うＲＡＭ８等を含んで
構成されている。尚、ＲＡＭ８には電源スイッチＯＦＦ時もバックアップ電力が供給され
、データが保持されるようになっている。そして、ディジタルテレビ放送受信装置の各構
成部分はバスラインＢにより接続され、相互にデータ伝送が可能となっている。
【００２３】
バスラインにはモデム１１が接続され、ディジタルテレビ放送受信装置は外部との通信
、例えばディジタルテレビ放送局との通信や、インターネットの接続が可能となっており
、例えばテレビ放送局との通信により、あるいはインターネットのコンテンツから番組デ
ータを得ることもできるようになっている。さらに、バスラインＢには入出力インターフ
ェイス（Ｉ／Ｏ）７が接続され、外部機器との接続が可能となっている。例えば、赤外線
等を利用したリモコン１４のデータを取り込んで、そのデータに応じた動作を行うように
なっており、ユーザはリモコン１４を操作することによりディジタルテレビ放送受信装置
に所望の動作を行わせることが可能となっている。
【００２４】
次に、番組表の表示処理について説明する。先ず、ＥＰＧの表示処理の全体の概要を図
２に示したフローチャートに基づいて説明する。この番組表の表示処理は、番組データを
受信した時に行われるようになっている。
【００２５】
まず、ステップＳ１では、受信した番組データをＲＡＭ８に記憶し、その後ステップＳ
２に移る。ステップＳ１における、番組データのＲＡＭ８への記憶は、過去に記憶した番
組データと異なった部分だけを書き換える方式となっている。この方式の採用により、Ｒ
ＡＭ８に記憶された番組データは常に最新のものとなり、番組表生成時には最新のデータ
に基づいたものとなる。また、過去のデータはＲＡＭ８の割り当てられた番組データ記憶
用の領域がなくなるまで保持され、その後は古い番組データが消去されてゆき記憶領域が
確保される。番組データには、番組名、番組内容、ジャンル、放送時間等が含まれている
。
【００２６】
ステップＳ２では、表示するＥＰＧの日時に応じてＲＡＭ８より該当する日時の番組デ
ータを選択して読み出し、その後ステップＳ３に移る。ステップＳ３では、表示するＥＰ
Ｇの日時に応じて必要な日時の番組データの内、ＲＡＭ８に記憶されていないデータを、
つまり未受信の番組データを過去の番組データ等に基づいて推測生成し、ステップＳ４に
移る。尚、未受信の番組データの推測生成については、例をあげて後述する。
【００２７】
ステップＳ４では、選択した受信データおよび推測生成した番組データに基づいて番組
表を生成し、ＶＲＡＭに書き込み、その後処理を終える。生成されたこの番組表がディス
プレイ１３に表示されることとなる。番組表の表示例は後述するが、番組表の生成は、表
示する日時帯における各番組データの時間帯に応じた番組枠を生成し、その番組枠に対応
する番組の番組名、内容、マーク、背景画（背景色）を記入する処理、およびその処理後
に画像の所望部分に対して線や矢印等を書き込む処理等を含んで行われており、これら処
理はＶＲＡＭへ書き込むデータの処理により行われる。
【００２８】
次に、番組表の表示例を説明する。図３は、ディスプレイ１３に表示された番組表の表
示例を示す説明図である。番組表の上部には受信中のチャンネル番号および放送局名が表
示され、左側には放送時間帯が表示されている。ディジタルテレビ放送の場合、１チャン
ネルで複数の番組の放送が可能であるので、本例では３列（サービス１〜３）の番組列が
表示されている。そして、各サービスにおける各番組枠には、その番組枠に対応した番組
名が表示されている。
【００２９】
番組の詳細（出演者やジャンル）については、番組枠の面積の関係で見にくくなるので
、リモコン１４で番組枠を選択し、詳細表示操作を行った時点で番組表上に表示されるよ
うになっている。本例では、サービス２の８時の番組枠に対応する番組データは未受信で
あり、他の番組枠とは異なった表示となっている。その表示方法は、下記の(1)〜(3)の方法
であり、その番組枠の番組データが未受信であることがすぐに分かるようになっている。
尚、これらの方法を単独で用いる方法、組み合わせて用いる方法のいずれも可能となって
いる。
【００３０】
(1)未受信番組枠の番組名等の番組データは無表示で、既受信番組枠とは異なる背景色Ａで塗りつぶす。
(2)未受信番組枠に番組データ未受信であることを示すマークＢを表示する。
(3)未受信番組枠に受信表示中の番組の画像Ｃを表示する。この方法の場合、受信表示中の番組の実画像による確認が可能となる。
【００３１】
また、新たな番組データにより未受信番組枠から既受信番組枠になったサービス３の１
０時の番組枠については、背景色の点滅表示（所定時間間隔で色が切り替わる）を行い、
番組データの受信を強調する構成となっている。また、別の実施の形態では、背景色の点
滅表示以外にも、背景色を変える、マークを表示する等の方法を採用してもよく、あるい
はこれらの方法を組み合わせて採用してもよく、いずれの方法においても番組データの受
信を強調できる効果を有している。
【００３２】
次に、番組表の別の表示例を説明する。図４は、ディスプレイ１３に表示された番組表
の表示例を示す説明図である。番組表の概要は図３に示した番組表と同様であるのでその
説明を省略する。本例では、同じイベントに対する異なった番組がある場合の表示形態に
特色があり、それら番組枠ＥＦの背景は他の番組枠とは異なった背景色Ａ（枠ＥＦは同じ
色）で塗りつぶされている。つまり、番組枠ＥＦは同じイベントの番組であることを示す
表示となっている。
【００３３】
また、別の実施の形態では、所定のマークを表示して番組枠ＥＦは同じイベントの番組
であることを示すようにしてもよく、あるいはこれらの方法を併用してもよい。また、サ
ービス３の８時放送の高校野球（同一イベント）が９時からサービス１で継続放送（所謂
リレー中継）されることを示す矢印Ｇが番組表に表示されている。つまり同一イベントを
放送する番組の時間的関係を示す表示が番組表に表示されている。また、サービス１の９
時からの番組枠Ｆについては番組データが完全には受信されていない状態のため、番組デ
ータを既に受信している番組枠Ｅの番組データに基づいて番組データ（番組名は番組表に
表示され、詳細情報は所定操作により表示される）が表示され、またその旨を示すマーク
が表示されている。
【００３４】
尚、同一イベントの判断は、番組データに含まれるイベント情報や番組名の同一性、あ
るいはリレー中継データ（リレー元あるいはリレー先データ）から判断されるが、全く番
組データを受信していない時点においてはこの判断はできないため、同一イベントのリレ
ー中継表示は、判断できる番組データ（一部）を受信した時点からの表示となる。
【００３５】
次に、番組表の更に別の表示例を説明する。図５は、ディスプレイ１３に表示された番
組表の表示例を示す説明図である。番組表の概要は図３に示した番組表と同様であるので
その説明を省略する。本例は、ある番組の放送時間が変更された場合の表示形態を示して
おり、サービス２の８時放送のサッカー番組Ｈが９時３０分まで延長され、その後の番組
、ニュース、連続ドラマが３０分ずれた場合を示している。変更前の番組枠Ｉは、サービ
ス２の表示欄の右端に小さく、背景色も他の番組枠とは異なった表示色とされ、目立ちに
くく、かつ変更前の番組であることが把握できるようになっている。また、文字等は半透
明化されており、変更前の番組であることがさらに区別しやすくなっている。また、変更
後の番組枠Ｊは、サービス２の表示欄の左側に比較的大きく、背景色は変更前の番組枠と
類似した（例えば同色で若干濃い色や、太い枠線とする等）表示色とされ、目立ち、かつ
変更後の番組であることが変更前の番組との関係で容易に把握できるようになっている。
さらに、番組の変更前後の関係を示す矢印Ｋ、つまりどの番組の放送時間がどの時間帯に
変わったかを示す矢印Ｋが表示され、番組の変更状況が分かりやすくなっている。
【００３６】
次に、番組表のさらに別の表示例を説明する。図６は、ディスプレイ１３に表示された
番組表の表示例を示す説明図である。番組表の概要は図３に示した番組表と同様であるの
でその説明を省略する。本例は、連続するイベントを時間的に分割して放送する連続番組
、例えば毎日あるいは月曜日〜金・土曜日の所定時間に放送する定時ニュースや連続ドラ
マ、また毎週所定の曜日の所定時間に放送される連続ドラマに対する表示形態を示してい
る。また、別の実施の形態では、この表示形態を、連続するイベントではないが関連が強
い定時番組（映画やバラエティ番組）等に適用することも可能である。
【００３７】
連続するイベント（同じドラマ等）の連続番組の場合、それら番組枠Ｌ１、Ｌ２あるい
はＭ１、Ｍ２の背景は他の番組枠とは異なった背景色Ａ（枠Ｌは同じ色）で塗りつぶされ
ている。つまり、番組枠Ｌ１、Ｌ２あるいはＭ１、Ｍ２は同じイベントの連続番組である
ことを示す表示となっている。また、別の実施の形態では、所定のマークを表示して番組
枠Ｌ１、Ｌ２あるいはＭ１、Ｍ２が同じイベントの連続番組であることを示すことも可能
である。また、番組枠Ｌ１、Ｌ２の連続性を示す矢印Ｎが番組表に表示されている。つま
り連続するイベントを放送する番組の時間的関係を示す表示が番組表に表示されている。
尚、サービス２の８時からの番組枠Ｌ２については番組データが完全には受信されていな
い状態のため、番組データを既に受信している番組枠Ｌ１の番組データに基づいて番組デ
ータ（番組名は番組表に表示され、詳細情報は所定操作により表示される）が表示され、
またその旨を示すマークが表示されている。
【００３８】
連続番組の判断は、番組データに含まれるイベント情報や番組名の同一性、あるいは連
続番組データ（連続周期データ・放送時刻データ）から判断されるが、全く番組データを
受信していない場合はこの判断はできないため、連続番組の表示は判断できる番組データ
（一部）を受信した時点からの表示となる。
【００３９】
次に、番組データが未受信の場合に、連続する番組や関連が強い定時番組（映画やバラ
エティ番組）における番組編成の特性から番組データを推測形成する方法について説明す
る。この推測形成された番組データにより番組表が形成されることとなる。
【００４０】
番組編成の特性として、平日（月〜金）の１８時までと２３時以降は、毎日同時刻（以
降Ａ時間帯と記す）に類似内容の同名の番組（以降同名番組と言う）が放送される傾向が
非常に強く、平日１９時〜２３時と土曜日、日曜日（終日）（以降Ｂ時間帯と言う）は、
毎週同じ曜日に同名番組が放送される傾向が非常に強い。このため本例では、番組データ
が未受信の番組について、Ａ時間帯の番組については他の日（例えば平日における前日）
における同時刻の番組データを用いて番組データを推測する。また、Ｂ時間帯の番組につ
いては同じ曜日の他の日（例えば１週間前）における同時刻の番組データを用いて番組デ
ータを推測する。
【００４１】
この推測のための番組データはＲＡＭ８に記憶されており、またＲＡＭ８に記憶された
番組データは常に最新の受信による番組データに書き換えられているので推測精度は高い
ものとなる。推測するための番組データは、推測対象の番組に時間的に最も近い（１日前
（１日後）１週間前（１週間前））日の番組データが好ましい。尚、Ａ・Ｂ時間帯につい
ては、ユーザがリモコン１４の操作等により設定できる方が番組編成の多様性に対応可能
で、その場合にはその設定データがＲＡＭ８に記憶されることとなる。
【００４２】
上記したように、本発明の実施の形態に係る番組表表示装置によれば、番組データ未受
信の場合でも、適切な推定処理により高精度で番組データが推測形成され、迅速に適切な
番組表を表示することができる。また、推測された番組情報、連続番組、放送時間変更の
あった番組、リレー番組等が容易に把握できる番組表が表示され、ユーザにとって有用な
番組表示となる。
【図面の簡単な説明】
【００４３】
【図１】本発明の実施の形態に係る番組表表示装置を内蔵したディジタルテレビ放送受信装置の概略構成を示すブロック図である。
【図２】実施の形態に係る番組表表示装置のマイコンが行う番組表の表示処理を示すフローチャートである。
【図３】ディスプレイに表示された番組表の表示例を示す説明図である。
【図４】ディスプレイに表示された番組表の表示例を示す説明図である。
【図５】ディスプレイに表示された番組表の表示例を示す説明図である。
【図６】ディスプレイに表示された番組表の表示例を示す説明図である。
【符号の説明】
【００４４】
１    チューナ
２    復調部
３    デコード部
４    音声デコード部
５    映像デコード部
６    映像処理部
８    ＲＡＭ
１０    ＣＰＵ